【事件の表示】
　平成　７年特許願第　７９１４８号「Ｘ線撮影装置」拒絶査定不服審判事件〔平成　８年１０月２２日出願公開、特開平　８−２７５９３９〕について、次のとおり審決する。
【結　論】
　本件審判の請求は、成り立たない。
【理　由】
Ｉ．手続の経緯
　本願は、平成７年４月４日の出願であって、平成１６年１月５日付で拒絶査定がなされ（発送日：平成１６年１月１３日）、これに対し、平成１６年２月１２日に拒絶査定に対する審判請求がなされ、当審において平成１８年６月２８日付で通知した拒絶の理由に対し、平成１８年９月４日付で手続補正がなされたものである。
　
II．本願発明について
　本願請求項１に係る発明（以下、「本願発明」という）は、当審で提出された平成１８年９月４日付手続補正書により補正された明細書及び図面の記載からみて、その特許請求の範囲の請求項１に記載された次のとおりのものと認める。
「Ｘ線像撮像装置を備えた床面に設置されるベッドと、天井に取り付けられるＸ線照射装置と、前記ベッドの動作制御の操作、前記Ｘ線照射装置の位置制御の操作及び撮影の操作を行う操作卓とを備え、前記Ｘ線像撮像装置と前記Ｘ線照射装置との位置関係が所定の位置関係になるように前記Ｘ線照射装置の位置を制御することにより、前記Ｘ線像撮像装置による撮影を行うＸ線撮影装置において、
　前記ベッドは、被検者を乗せる天板を上板とするテーブルを有し、前記検査室の床面上に設置されて前記ベッドのテーブルを支持し、前記ベッドの長手方向に対し直角方向となるベッドの幅方向の軸で前記ベッドのテーブルを傾斜させるとともに、前記ベッドのテーブルを上下させる機能を有するテーブル支持装置により支持されて前記床面に設置され、
　前記Ｘ線像撮像装置は、前記ベッドのテーブルの下部に取り付けられ、
　前記Ｘ線照射装置は、前記天井面に取り付けられるレールを介して、前記ベッドの長手方向と、該長手方向に対して直角方向となる前記ベッドの幅方向に移動可能に取り付けられ、
　前記テーブル支持装置は、前記ベッドの幅方向の軸を介して、前記ベッドの幅方向の側部から前記ベッドのテーブルを傾斜可能に支持する横支持体と、前記検査室の床面に支持されて前記横支持体を上下させる縦支持機構とを有し、
　前記縦支持機構は、前記ベッドの長手方向の一方の側でしかもベッドの長手方向の中心より端部の方向へ片寄らせた位置で前記横支持体を支持するように配置され、
　前記ベッドのテーブルの底面には、前記ベッドの長手方向に平行な両サイドに、前記ベッドの長手方向であるＸ方向に伸びた前記Ｘ線像撮像装置のＸ線受像部を移動させる案内部を設け、
　モータの駆動により前記Ｘ方向に伸びた案内部に沿って前記Ｘ線受像部を前記Ｘ方向に移動させるようにしたことを特徴とするＸ線撮影装置。」
　
III．当審の拒絶理由
　当審において平成１８年６月２８日付で通知した拒絶の理由１．の概要は、本願発明は、本願の出願日前に頒布された下記IV．１．記載の引用例１乃至６に記載された発明に基づいて当業者が容易に発明をすることができたものであるから、特許法２９条２項の規定により特許を受けることができない、というものである。
　
IV．引用例
１．引用例一覧
　引用例１：実願平１−３６９３４号のマイクロフィルム（実開平２−１２６６１２号）
　引用例２：特開平５−３２９１４６号公報
　引用例３：特開平４−３４１２４４号公報
　引用例４：実願平４−６０５９０号のＣＤ−ＲＯＭ（実開平６−１５６０３号）
　引用例５：特開平６−１６５７７３号公報
　引用例６：特開平４−２３１０２９号公報
　
２．引用例記載事項
２−１．引用例１
　引用例１には、以下の記載がある。
（１）産業上の利用分野に関し；
「この考案は、Ｘ線管と撮像機構とを本体フレームに設けるとともに、Ｘ線管と撮像機構との間に位置させて、被検者搭乗用の天板を設けた透視撮影台に関する」（１頁１５−１８行）
（２）天板の立姿勢と水平姿勢との間の回転に関する従来技術について；
「透視撮影台としては、従来一般に、Ｘ線管が天板の上方に配置されたオーバーチューブタイプと、・・・があり・・・これらの透視撮影台に被検者が搭乗する場合、通常、天板を立姿勢にし、その天板に連接された踏台上に乗り、その状態で天板を水平姿勢などに傾斜させるようにしている。」（１頁最下行〜２頁１０行）
（３）全体構成として；
「第１図は、本考案の一実施例としてのオーバーチューブタイプの透視撮影台の全体正面図、第２図はその全体側面図であり、床面上に設置された基台１に水平方向の軸芯周りで回転可能に本体フレーム２が設けられ、その本体フレーム２の上方側に支柱３を介してＸ線管４が設けられとともに、本体フレーム２に、回転軸芯に沿う方向および上下方向それぞれに駆動移動可能に被検者搭載用の天板５が設けられ、更に、天板５の下方に位置させて、撮像機構を構成するイメージインテンシファイア６とフィルムマガジン装着式の速写枠７とが設けられている。」（５頁６−１７行）
（４）天板の上下駆動機構について；
「第３図・・・および第４図・・・に示すように、本体フレーム２の内部には左右一対のガイド軸８ａ、８ｂが鉛直方向に立設され、両ガイド軸・・・に上下方向にスライド自在に支持台９が外嵌装着され、この支持台９に前記天板５が取り付け支持されている。そして、一方のガイド軸８ａの外面にはラックギヤ１０が付設されるとともにこのラックギヤ１０に咬合うピニオンギヤ１１が減速機構付きの電動モータ１２によって正逆回転可能に支持台９に取り付けられ、電動モータ１２の正逆転駆動に伴って天板５を上下方向に駆動移動し、電動モータ１２の停止によって天板５を所望の高さに固定維持できるように構成されている。」（５頁１８行〜６頁１１行）
（５）第１、３図には、天板５の片側側面の、天板長手方向中心に対し外長手方向の一方側にずれた位置に、内部にガイド軸８及び支持台９を有する本体フレーム２が設けられ、その支持台９によって天板５が支持されていることが示されている。
（６）撮像機構とＸ線管の変位に関し；
「この考案の構成によれば、天板の下方に配置されるイメージインテンシファイアなどの撮像機構、もしくはＸ線管を天板の下方から退避した位置に移動し、その状態で、天板を下方の位置に変位させることにより、天板の位置をストレッチャーの寝台面よりも低くでき、その状態で被検者を乗せ替えてから上昇させた後に、天板、イメージインテンシファイアなどの撮像機構、もしくはＸ線管それぞれを元の位置に変位して戻すことにより、通常の撮影位置に被検者を位置させることができる。」（４頁９−１９行）
　
　以上の記載から、引用例１には、以下の発明（以下、「引用発明１」という。）が記載されている。
（引用発明１）
「撮像機構とＸ線管を備え、床面に設置されるＸ線透視撮影台に於いて、被検者搭乗用の天板と、床面上に設置された基台１に水平方向の軸芯周りで回転可能に設けられ、回転軸芯に沿う方向および上下方向それぞれに駆動移動可能に前記天板を設けてなる本体フレームと、本体フレームの上方側に支柱３を介して天板の上方に配置されたＸ線管と、天板の下方に位置された、撮像機構を構成するイメージインテンシファイア及びフィルムマガジン装着式の速写枠とからなり、本体フレーム２の内部には左右一対のガイド軸が鉛直方向に立設され、両ガイド軸に上下方向にスライド自在に支持台が外嵌装着され、この支持台に前記天板が取り付け支持されて、一方のガイド軸にラックギヤが付設されるとともにこのラックギヤに咬合うピニオンギヤが電動モータによって正逆回転可能に支持台に取り付けられることで、電動モータの正逆転駆動に伴って天板を上下方向に駆動移動させ、本体フレーム及び内部のガイド軸は、天板の片側側面の、天板長手方向中心に対し該長手方向の一方側にずれた位置に設けられ、被検者を天板に乗せる際にはテーブル下の撮像機構を退避させ、被検者をテーブルに乗せてテーブルを上昇させた後に、前記撮像機構を元の位置に変位して戻すようにしてなるＸ線透視撮影台。」
　
２−２．引用例２
　引用例２には、天板長手方向に直交する軸を中心として天板を回転させる構造に関し、以下の記載がある。
（１）「Ｘ線管とＸ線検出手段とを対向させた状態で被検体の体軸周りと体軸方向とに回動自在に支持する映像機器支持部を、被検体の体軸方向に沿って移動自在に支持するとともに、被検体搭載用の天板を支持する本体フレームを備えたＸ線透視撮影台において、前記本体フレームの底部を円弧状に形成して基台上に回動自在に取り付け、前記被検体搭載用の天板を片持ち支持する天板支持部を少なくとも鉛直方向に移動自在に前記本体フレームに取り付けてある」（段落１３）
（２）「図３は、Ｘ線透視撮影台の一部破断正面図である。なお、この図において映像機器等は図示を省略している。本体フレーム21の正面の外縁部には「コ」の字形の溝37が周方向に形成され、基台20には溝37内を転動する複数個のローラ38が取り付けられている。この溝37は本体フレーム21の後面にも形成されており、同様に基台20の内部にはその溝37内を転動するローラ38が取り付けられている。本体フレーム21の外周面には平行して２本のチェーン39が張られている。これらのチェーン39の両端は本体フレーム21に固定されて、その一部は基台20内に取り付けられたスプロケット40を介して電動モータ41の出力軸と一体のスプロケット42に架け渡されている。この電動モータ41の正逆転動作により、本体フレーム21はＸ軸心周りに回動する。」（段落２３）
　
２−３．引用例３乃至５
（１）Ｘ線照射装置を二次元方向に移動可能に天井面に取り付けることに関し、引用例３−５に以下の記載がある。
（１−１）「天井式Ｘ線管保持装置（保持装置）５は天井１６に取付けられて、Ａ方向に移動可能な支持レール２３、Ｂ方向に移動可能な支持レール２４、Ｃ方向（垂直方向）に伸縮可能な支柱２５を備えている。」（引用例３の段落２６）
（１−２）「 以下、図面を参照して本考案の実施例を説明する。
  図１は、本考案によるＸ線撮影装置の一実施例の要部を示す斜視図、図２は同じくブロック図である。両図において、１，２，３，４，１０及び１２はＸ線管装置５を被検体撮影装置（図示せず）に対して所望位置に移動可能のＸ線管保持装置を構成する支持部，支柱部（Ｙ軸移動用），Ｘ軸移動用レール，Ｚ軸移動用レール，Ｘ，Ｙ，Ｚ軸制御ユニット（Ｘ，Ｙ，Ｚ−Ｃ.Ｕ.）及びＸ，Ｙ，Ｚ軸モータ駆動部（Ｘ，Ｙ，Ｚ−Ｍ）である。
  図示するように、支持部１にＹ軸方向に伸縮可能な支柱部２が固定され、支柱部２の下端にＸ線可動絞り６を有するＸ線管装置５が取り付けてある。
  支持部１はそれ以下の構成部分全体を保持すると共にＸ軸移動用レール３に沿って移動可能とし、このＸ軸移動用レール３は更に天井に固定されているＺ軸移動用レール４に吊るされＺ軸方向に走行できる。したがって、Ｘ線管装置５はＸ，Ｙ，Ｚ軸上の移動が可能である。」（引用例４の段落７，８）
（１−３）「天井走行式Ｘ線管懸垂器の構成を図５ないし図１３を参照して説明する。図５は、天井走行式Ｘ線管懸垂器の全体正面図であり、図６は、その側面図である。図中、符号１は天井のＸ方向に沿って固設された固定レールを示し、この固定レール１には、図７（図６のＡ−Ａ矢視断面図）に示すように、移動レール支持部材３に設けられたコロ２により、移動レール支持部材３が、固定レール１に沿って、すなわち、Ｘ方向に移動自在に支持されている。この移動レール支持部材３のＸ方向への動きは、後述するＸ方向移動ブレーキ機構により抑止されている。また、固定レール１と９０°ずらせて（Ｙ方向に沿って）移動レール支持部材３に移動レール４が支持されている。この移動レール４には、図８（図５のＢ−Ｂ矢視断面図）に示すように、懸垂部支持部材６に設けられたコロ５により、懸垂部支持部材６が、移動レール４に沿って、すなわち、Ｙ方向に移動自在に支持されている。」（引用例５の段落２）
（２）可動式の寝台及びＸ線受像部と天井面取付型のＸ線照射部との連携に関し；
「被検者１６が横たえられる起倒寝台装置１の下方部にはＸ線受像部２と共に位置検出手段３が組込まれている。位置検出手段３は図１２と同様に例えば寝台装置１の起倒角度θ１と寝台装置１内でのＸ線受像部２の相対位置Ｌを検出する。また選択器１５はＸ線受像部２からＸ線焦点位置Ｆ0 までの距離Ｓ及びＸ線受像部２に対するＸ線の入射角度θ2 を選択する。演算手段７は前記情報θ1 とＬ、Ｓとθ2 に基いてＸ線焦点の置かれるべき位置Ｆ、すなわちＸ線受像部２に対して後述のＸ線発生部４が所定の位置関係を保って位置決めされるべき位置を求める。・・・駆動手段８は情報Ｆ（Ｘ2 ，Ｙ2 ，Ｚ2 ）とθ3 に基いて後述の保持装置５を駆動して、Ｘ線発生部４を前記のようにＸ線受像部２に位置決めされるべき位置Ｆに移動させる。」（引用例３の【0023】〜【0025】）
　
２−４．引用例６
　引用例６には、Ｘ線管と放射線検出器との配置、及びそれらのベッドに対する移動機構に関し、図１とともに以下の記載がある。
（１）「放射線検出器７はＸ線管４に対向して配置されている。」（段落１２）
（２）「Ｘ線管４と放射線検出器７は円形ヨーク８によって互いに接続されている。」（段落１２）
（３）「円形ヨーク８は可動設備１０と一体なスライド路９中をスライド自在な状態で移動自在に支持されている。可動設備１０は基本的にベース１１を有し、このベース１１中にスライド路９が固定されている。この可動設備１０には、ベース１１をベッドの長手方向に直角な横方向に沿ってビーム１２上をスライドさせるための一組の玉軸受け（図示せず）が設けられている。図ではこのビームが単一のレールで示されているが、実際には２本ある。第１のレールは図１の観測者に近い側にあり、第２のレールは第１のレールより観測者から離れた側に配置されている。２本のレールはヨーク８を安定させる働きをする。２本のビーム１２は検出器７が存在する面６からズレて配置されていいて、２本のビーム１２と検出器７とが互いに衝突しないようになっている。ビーム１２自体は２本のシャフト１３、１４に沿ってスライドして、ベッドの長手方向に横移動するようになっている。２本のシャフト１３、１４はベッドと平行で、その各末端はフレーム２に接続されている。すなわち、ビーム１２は測定装置を矢印１５、１６の方向に並進移動させ、シャフト１３、１４は可動設備１０（従って測定装置全体）を矢印１７、１８（図２、図３）の方向に移動させる。」（段落１３）
　
Ｖ．対比
　本願発明と引用発明１とを比較すると、引用発明１に於ける
(a)「透視撮影台」、(b)「基台」及び「本体フレーム」、(c)「Ｘ線管」、(d)「撮像機構」、(e)「支持台」、(f)「水平方向の軸」及び「回転軸芯」
は、それぞれ本願発明に於ける
(a)「Ｘ線撮影装置」、(b)「テーブル支持装置」、(c)「Ｘ線照射装置」、(d)「Ｘ線像撮像装置」、(e)「横支持体」、(f)「ベッドの幅方向の軸」
に相当することが明らかである。
　また、引用発明１に於ける、本体フレームの内部の、「左右一対のガイド軸」、「ラックギヤ」、「ピニオンギヤ」及び「電動モータ」からなる駆動システムは、本願発明の「縦支持機構」に相当することが明らかである。
　また、本願発明に於ける「ベッド」は、「ベッドは、被検者を乗せる天板を上板とするテーブルを有し」なる記載からみて、「テーブル」及び「天板」を含む部分を全体的に指して用いられている呼称であることが明らかである。よって、引用発明１に於ける「天板」の一部は、本願発明に於ける「天板」及び「テーブル」に相当し、他の一部は本願発明に於ける「ベッド」に相当する。
　
　よって、両者は、以下の点で一致する。
（一致点）
「Ｘ線像撮像装置を備えた床面に設置されるベッドと、Ｘ線照射装置とを備え、Ｘ線像撮像装置による撮影を行うＸ線撮影装置において、
　前記ベッドは、被検者を乗せる天板を上板とするテーブルを有し、前記検査室の床面上に設置されて前記ベッドのテーブルを支持し、前記ベッドの長手方向に対し直角方向となるベッドの幅方向の軸で前記ベッドのテーブルを傾斜させるとともに、前記ベッドのテーブルを上下させる機能を有するテーブル支持装置により支持されて前記床面に設置され、
　前記Ｘ線像撮像装置は、前記ベッドのテーブルの下部に取り付けられ、
　前記テーブル支持装置は、前記ベッドの幅方向の軸を介して、前記ベッドの幅方向の側部から前記ベッドのテーブルを傾斜可能に支持する横支持体と、前記検査室の床面に支持されて前記横支持体を上下させる縦支持機構とを有し、
　前記縦支持機構は、前記ベッドの長手方向の一方の側でしかもベッドの長手方向の中心より端部の方向へ片寄らせた位置で前記横支持体を支持するように配置されてなるＸ線撮影装置。」
　
　また、両者は以下の各点で相違する。
（相違点）
（１）本願発明では、テーブルの傾斜を、ベッドの幅方向の軸について行うとしているのに対し、引用発明１では、テーブルを傾斜させる軸とベッドの幅方向との関係について、明確な言及がない点
（２）本願発明では、Ｘ線照射装置が天井面に取り付けられているのに対し、引用発明１ではテーブル支持装置に支柱を介して取り付けられている点
（３）本願発明では、Ｘ線照射装置は、天井面に取り付けられるレールを介して、ベッドの長手方向と幅方向に移動可能に取り付けられているのに対し、引用発明１ではそのような構成を備えていない点
（４）本願発明では、Ｘ線受像部はベッドの長手方向に移動させるようにされているのに対し、引用発明１では、そのような構成を備えていない点
（５）本願発明では、Ｘ線受像部の前記ベッド長手方向への移動を、テーブル底面のベッド長手方向に平行な両サイドに設けた、ベッドの長手方向に伸びた案内部に沿ってモータの駆動により行わせるようにしているのに対し、引用発明１は、そのような構成を備えていない点
（６）本願発明では、「ベッドの動作制御の操作、前記Ｘ線照射装置の位置制御の操作及び撮影の操作を行う操作卓」を備えているのに対し、引用発明１では操作卓の存在や機能について言及されていない点。
（７）本願発明では、Ｘ線像撮像装置と前記Ｘ線照射装置との位置関係が所定の位置関係になるように前記Ｘ線照射装置の位置を制御することによりＸ線像撮像装置による撮像を行うのに対し、引用発明１では、Ｘ線像撮像に際しＸ線照射装置の位置を制御することについて言及がない点。
　
VI．当審の判断
　上記相違点について検討する。　　
（１）相違点（１）について
　引用発明１に於ける、テーブルを回転させる「水平方向の軸芯」の向きが、本願発明と同じくベッドの幅方向であることは、上記IV．２−１．（２）の、引用発明１が前提とする従来技術に於ける天板傾斜に関する記載や、Ｘ線撮影装置のテーブルの変位形態に関する技術常識に鑑みても、明らかである。そして、これは、引用例１の第２、６図に於いて、基台に対しテーブルと一体に前記軸芯周りに回転すべき本体フレームがテーブル側面とも基台のテーブル側の面ともほぼ平行に描かれていることとも矛盾しない。さらに、Ｘ線撮像装置に於いて、テーブルをベッドの長手方向に直交する水平軸に対して傾斜（回転）可能に支持する機構を設けること自体は、上記IV．２−２．で示した引用例２にも記載されたとおり、周知技術に過ぎないから、該相違点の構成は、前記のとおり引用例１の記載から導き出すまでもなく、引用発明１に該周知技術を適用することにより、当業者が容易に想到し得た事項である。
　
（２）相違点（２）（３）について
　Ｘ線撮影装置に於いて、ベッド上方に設置するＸ線管を、天井面に取り付けられるレールを介して天井面に取り付け、該レールを介してベッドの長手方向と幅方向に移動可能とすることは、上記IV．２−３．に挙げた引用例３乃至５にも記載されたとおりの周知技術に過ぎない。そして、Ｘ線受像部をベッドのテーブルの下方に配置し、該テーブルの幅方向の軸によって該テーブルを傾動させる形式のＸ線撮像装置に於いて、Ｘ線照射装置を天井面に可動に取り付けて前記受像部やテーブルの移動と連動させて変位させることも、例えば上記引用例３（IV．２−３．（２）参照）に記載されているとおりの周知技術であるし、Ｘ線照射装置がベッドやその支持部材に取り付けられている形式のＸ線撮影装置に於いても、ベッド上方のＸ線照射装置をベッド長手方向やベッドの幅方向に移動可能とすることが周知である（引用例６参照）ことから、引用発明１に於いて、前記周知技術にしたがってＸ線管を天井面に取り付けるように変更し、天井面に取り付けられるレールを介して、ベッドの長手方向と幅方向に移動可能とすることは、当業者が容易に想到し得た事項である。
　
（３）相違点（４）（５）（７）について
　Ｘ線撮影装置に於いて、Ｘ線照射装置及びＸ線像撮像装置を連動させてベッド長手方向及び該長手方向に対し直角方向に移動可能とすること、及びＸ線像撮像装置のベッド長手方向への移動をテーブル底面の両サイドに設けた２本のシャフトに沿って行うことは、上記IV．２−４．に示した引用例６に記載されている。ここで、該シャフトは本願発明に於ける「案内部」に相当するものである。また、モーターは各種駆動源として周知慣用のものであり、前記受像部の移動の動力源に該周知慣用のモーターを採用することは当業者が容易に為し得たことである。
　よって、該各相違点の構成とすることは、引用発明１に、同分野に属する引用例６記載の技術や周知技術を適用することで当業者が容易に想到し得た事項である。
　
（４）相違点（６）について
　Ｘ線撮影装置に於いて、該撮影装置の動作・位置制御・撮影に関する各種操作を行う操作卓を設けることは、特開平６−１６９９０７号公報（段落【0010】参照）にも記載されたとおり、周知かつ自明である。そして、該操作卓が担う操作項目は、撮影操作の他、前記撮影装置の各種動作・位置制御対象部の有無に応じて、それらの全て又は一部を適宜選択すべきものである。よって、本願発明が操作卓を設けた点、及び、その機能を「ベッドの動作制御の操作、前記Ｘ線照射装置の位置制御の操作及び撮影の操作」と特定した点は、何れも前記周知技術に基づき当業者が容易に為し得たことである。
　
　そして、本願発明の作用効果も、上記引用例１乃至６及び周知技術から当業者であれば予測できる範囲のものである。
　
VII．むすび
　以上のとおり、本願発明は、引用例１乃至６に記載された発明及び周知技術に基づいて、当業者が容易に発明をすることができたものであるから、請求項２について検討するまでもなく、特許法第２９条第２項の規定により特許を受けることができない。
　よって、結論のとおり審決する。